(57)【要約】【課題】本発明は、インターネット上でユーザー同士が通話する為のソフトウエアＩＰ電話Ｓｋｙｐｅを利用したマイクロホン、イヤホン、コード両巻取りリール付きＳｋｙｐｅ通話専用のスカイプ用リール式イヤホンを提供する。【解決手段】Ｓｋｙｐｅ通話専用のスカイプ用リール式イヤホンは、図１による構成とし、構造としては図２及び図３に示す形状とする。本発明はモノラルイヤホンとコンデンサマイクとを一体化したイヤホン部と、イヤホン及びマイクの信号用ケーブルを巻き取る両巻取りリールを備えたリール部と、通話手段としてリール部とパソコンとの接続に使用する引き出し可能な３．５φのプラグ付イヤホン端子と３．５φのマイク端子とを備えた信号入力部とでＳｋｙｐｅ通話専用のスカイプ用リール式イヤホンを構成する。【選択図】図１
2007202093.tif 000002
【特許請求の範囲】
【請求項１】
本発明はモノラルイヤホンとコンデンサマイクとを一体化したイヤホン部と、イヤホン及びマイクの信号用ケーブルを巻き取る両巻取りリールを備えたリール部と、通話手段としてリール部とパソコンとの接続に使用する引き出し可能な３．５φのプラグ付イヤホン端子と３．５φのマイク端子とを備えた信号入力部からなることを特徴とするＳｋｙｐｅ通話専用のスカイプ用リール式イヤホン。
【請求項２】
スカイプ用リール式イヤホンにより通話を行なう場合、両巻取りリールによりケーブル長を１２００ｍｍまで任意に可変でき通話後もケーブル及び３．５φのプラグ付イヤホン端子とマイク端子をコンパクトに収納できる為、利便性が向上する請求項１に記載のＳｋｙｐｅ通話専用のスカイプ用リール式イヤホン。
【請求項３】
従来の３．５φプラグ付きケーブルとイヤホンとマイクの通話セットのケーブルが長すぎて絡まりやすく、スムーズに通話を開始できないという欠点を解消した請求項１に記載のＳｋｙｐｅ通話専用のスカイプ用リール式イヤホン。
【請求項４】
３．５φプラグ付きイヤホン端子とマイク端子をパソコン等に接続する場合の対応として、アダブタの記号の他にプラグ先端３極ピンの絶縁部分を色分けしたことにより誤挿入を防止出来る請求項１に記載のＳｋｙｐｅ通話専用のスカイプ用リール式イヤホン。
【請求項５】
コンパクトに収納できる為、従来の通話用ヘッドセットと異なり携帯する煩わしさも解消され、出張、旅行先でＳｋｙｐｅ通話を容易に行なうことができ、且つ机上での作業の妨げにならない請求項１に記載のＳｋｙｐｅ通話専用のスカイプ用リール式イヤホン。
【発明の詳細な説明】
【技術分野】
【０００１】  本発明は、インターネット上でユーザー同士が通話する為のソフトウエアＩＰ電話Ｓｋｙｐｅを利用したマイクロホン、イヤホン、コード両巻取りリール付きＳｋｙｐｅ通話専用のスカイプ用リール式イヤホンに関する。
【背景技術】
【０００２】  インターネット上でユーザー同士が通話する為のソフトウエアＩＰ電話Ｓｋｙｐｅを利用した無料通話が実用化されている。
インターネットを介して固定電話や携帯電話との通話も可能である。
また通話だけでなく、パソコンのヘッドホン端子を利用してデジタルオーディオ機器と同様な音質で再生した音楽を聴くことも可能である。
通話手段として使用するマイク付きヘッドホンとパソコンとの接続は、３．５φのマイク端子及びヘッドホン端子を介して行なう手法が実用化されている。
また市販されている通話用ヘッドセットの構造としては、ヘッドホンとマイクは一体化され、３．５φのプラグ付きケーブルを組み合わせた製品が実用化されている。
【発明の開示】
【発明が解決しようとする課題】
【０００３】  従来、市販されている通話用ヘッドセットを利用してＳｋｙｐｅ通話を行なう場合３．５φのプラグ付きヘッドホン端子とマイク端子をパソコンに接続して通話を行なうが、ケーブル長を任意に可変できないという欠点があった。
通話用ヘッドセットタイプの他に、３．５φのプラグ付きケーブルとイヤホンとマイクの通話セットもケーブルが長すぎて絡まりやすく、作業の妨げにな事もありスムーズに通話を開始できないという欠点があった。
また出張、旅行先でＳｋｙｐｅ通話を行なう為に、通話用ヘッドセットを携帯するには嵩張るという欠点があった。【０００４】  本発明は、以上のような欠点を鑑みＳｋｙｐｅ通話を行なう為の作業性と利便性を確保すると同時に、ケーブル長を任意に可変可能な３．５φマイク端子とヘッドホン端子を入力とするコード両巻取りリール付きＳｋｙｐｅ通話専用のスカイプ用リール式イヤホンを提供することを目的とする。
【課題を解決するための手段】
【０００５】  上記目的を達成するために、本発明はモノラルイヤホンとコンデンサマイクとを一体化したイヤホン部と、イヤホン及びマイクの信号用ケーブルを巻き取る両巻取りリールを備えたリール部と、通話手段としてリール部とパソコンとの接続に使用する引き出し可能な３．５φのプラグ付イヤホン端子と３．５φのマイク端子とを備えた信号入力部とでＳｋｙｐｅ通話専用のスカイプ用リール式イヤホンを構成する。またリール部の構造として、適切な長さまでイヤホン及びマイクの信号用ケーブルを引き出しＳｋｙｐｅ通話を行なうことが可能な両巻取りリールを内蔵しており、イヤホン及びマイクの信号用ケーブル長１２００ｍｍまでを巻き取り収納可能な機能を持つＳｋｙｐｅ通話専用のスカイプ用リール式イヤホンを提供する。
【発明の効果】
【０００６】  上述したように本発明のＳｋｙｐｅ通話専用のスカイプ用リール式イヤホンは、モノラルイヤホンとコンデンサマイクとを一体化したイヤホン部と両巻取りリールと引き出し可能な３．５φのプラグ付イヤホン端子とマイク端子とをコンパクトにまとめ実用性を追求した結果、下記に説明する効果が得られる。【０００７】  スカイプ用リール式イヤホンにより通話を行なう場合、両巻取りリールによりケーブル長を１２００ｍｍまで任意に可変でき通話後もケーブル及び３．５φのプラグ付イヤホン端子とマイク端子をコンパクトに収納できる為、利便性が向上するという効果がある。【０００８】  従来の３．５φプラグ付きケーブルとイヤホンとマイクの通話セットはケーブルが長すぎて絡まりやすく、スムーズに通話を開始できないという欠点を解消し作業性も向上するという効果がある。【０００９】  ３．５φプラグ付きイヤホン端子とマイク端子をパソコン等に接続する場合の対応として、アダブタの記号の他にプラグ先端３極ピンの絶縁部分を色分けしたことにより誤挿入を防止するという効果がある。【００１０】  コンパクトに収納できる為、従来の通話用ヘッドセットと異なり携帯する煩わしさも解消され、出張、旅行先でＳｋｙｐｅ通話を容易に行なうことができるという効果がある。
【発明の実施するための最良の形態】
【００１１】  以下、本発明の実施の形態を図１〜図３に基づいて説明する。
【００１２】  図１はスカイプ用リール式イヤホンによりＳｋｙｐｅ通話を行なう場合の一実施の形態を示す概観図であり、モノラルイヤホン２とコンデンサマイク３とを一体化したイヤホン部１と、イヤホン及びマイクの信号用ケーブル４を巻き取る両巻取りリール５を備えたリール部６と、通話手段としてリール部６とパソコン１０との接続に使用する引き出し可能な３．５φのプラグ付イヤホン端子８と３．５φのマイク端子９とを備えた信号入力部７とでＳｋｙｐｅ通話専用のスカイプ用リール式イヤホンを構成する。またリール部６の構造として、適切な長さまでイヤホン及びマイクの信号用ケーブル４を引き出しＳｋｙｐｅ通話を行なうことが可能な両巻取りリール５を内蔵しており、イヤホン及びマイクの信号用ケーブル４長１２００ｍｍを巻き取った形態を図２に示す。
【００１３】  以下、上記構成の動作を説明する。
スカイプ用リール式イヤホンによりＳｋｙｐｅ通話を行なう場合、イヤホン部１と信号入力部７の３．５φのプラグ付イヤホン端子８と３．５φのマイク端子９とを左右同時に引っ張り適切な長さまでイヤホン及びマイクの信号用ケーブル４を引き出し、モノラルイヤホン２を耳に宛がう。
パソコン１０との接続は、信号入力部７の３．５φのプラグ付イヤホン端子８と３．５φのマイク端子９を各々対応するコネクタへ差し込む。
各々のプラグは、アダブタの記号と併せたプラグ先端３極ピンの絶縁部分の色分けに従い接続すると誤挿入を防止出来ます。
パソコン１０がＳｋｙｐｅ通話可能な状態となっていることを確認し、通話相手に対して発信すると通話が開始できる。
Ｓｋｙｐｅ通話終了後は、パソコン１０に接続した３．５φのプラグ付イヤホン端子８と３．５φのマイク端子９を引き抜き、リール部６よりコードを左右同時に２０ｍｍ程引き出した後緩めることにより、信号用ケーブル４は両巻取りリール５にて巻き取られリール部６に収納される。
またパソコン１０に内蔵されている音楽も高音質で聴くことが出来るモノラルイヤホン２を使用しているため、Ｓｋｙｐｅ通話をしていないときは音楽鑑賞のツールとしても利用可能である。
【図面の簡単な説明】
【００１４】
【図１】本発明の一実施の形態を示す概観図である。
【図２】本発明の正面図である。
【図３】本発明の右側面図である。
【符号の説明】
【００１５】１  イヤホン部
２  モノラルイヤホン
３  コンデンサマイク
４  信号用ケーブル
５  両巻取りリール
６  リール部
７  信号入力部
８  イヤホン端子
９  マイク端子
１０  パソコン
【図１】
2007202093.tif 000003
【図２】
2007202093.tif 000004
【図３】
2007202093.tif 000005